(57)【要約】【課題】屋内の不在部屋の熱エネルギーを有効に活用し、人が在室している部屋での室温環境を快適な環境に高めることができる空気流通システムを提供する。【解決手段】部屋２〜５は、ダクト２０と各部屋の給排気装置２１ａ〜２１ｄとから構成された空気移動手段によって、相互に室内空気の移動が可能とされている。コントローラ２２は、各部屋２〜５に人が在室しているか不在であるかを各部屋２〜５に設けた撮像装置８，１２や在室報知操作スイッチ１５，１６等を介して把握する。在室部屋と不在部屋とが混在しているとき、給排気装置２１ａ〜２１ｄの運転により不在部屋から在室部屋に室内空気を移動させ、在室部屋の室温を目標温度に近づける。【選択図】図１
2004293850.tif 000002
【特許請求の範囲】
【請求項１】
屋内の複数の部屋を互いに連通させる空気流通路を介して該複数の部屋間で相互に室内空気を移動可能に設けられた空気移動手段と、前記複数の部屋のそれぞれにおける人の在室および不在を判断する在室不在判断手段と、前記複数の部屋のそれぞれの室温を検出する室温検出手段と、前記複数の部屋のそれぞれの目標室温を所定の操作により設定する室温設定手段と、前記在室不在判断手段の判断結果から前記複数の部屋に在室部屋と不在部屋とが存在することが把握された場合において、該在室部屋の目標室温が該在室部屋の検出室温よりも高いときには、該在室部屋の検出室温よりも検出室温が高い不在部屋から在室部屋に室内空気を移動させ、該在室部屋の目標室温が該在室部屋の検出室温よりも低いときには、該在室部屋の検出室温よりも検出室温が低い不在部屋から在室部屋に室内空気を移動させるように前記空気移動手段を制御する制御手段とを備えたことを特徴とする屋内の空気流通システム。
【発明の詳細な説明】
【０００１】
【発明の属する技術分野】
本発明は、屋内の複数の部屋間で相互に室内空気を流通させるシステムに関する。
【０００２】
【従来の技術】
屋内の複数の部屋の暖房や冷房を行う空調システムとしては、例えば特開平１１−２４１８４９号公報に見られるように、和室、洋室等の主要な部屋毎に空調装置を設けたものが一般に知られている。このようなシステムでは、人が在室する部屋において空調装置を運転させて、その部屋の暖房や冷房が行われる。
【０００３】
また、例えば特開平５−１７２３７１号公報に見られるように、各部屋に通じる給気ダクトおよび排気ダクトを備えた一体型集中空調システムも知られている。このシステムでは、人が在室する部屋において、給気口および排気口に備えられたダンパを所望の開度で開くことにより、その部屋の暖房や冷房が行われる。
【０００４】
しかしながら、これらのシステムでは、例えば冬季において、人が在室していない不在部屋が昼間に太陽熱により十分に暖かい温度に暖められていたり、該不在部屋での過去の暖房の熱が十分に残っている状態であっても、該不在部屋の熱エネルギーの多くは、単に自然放熱によって失われてしまう。また、例えば夏季において、北向きの部屋等の不在部屋が十分に涼しい室温になっていたり、該不在部屋での過去の冷房により該不在部屋に十分に涼しい冷気が残っている状態であっても、該不在部屋の冷気は、単に外気との間の自然な熱伝達によって失われてしまう。
【０００５】
従って、従来のシステムは、屋内の不在部屋の熱エネルギーの多くを自然に消失させており、エネルギーの利用効率が悪いものとなっていた。
【０００６】
【特許文献１】
特開平１１−２４１８４９号公報
【特許文献２】
特開平５−１７２３７１号公報
【０００７】
【発明が解決しようとする課題】
本発明はかかる背景に鑑みてなされたものであり、屋内の不在部屋の熱エネルギーを有効に活用し、人が在室している部屋での室温環境を快適な環境に高めることができる空気流通システムを提供することを目的とする。
【０００８】
【課題を解決するための手段】
本発明の屋内の空気流通システムは、前記の目的を達成するために、屋内の複数の部屋を互いに連通させる空気流通路を介して該複数の部屋間で相互に室内空気を移動可能に設けられた空気移動手段と、前記複数の部屋のそれぞれにおける人の在室および不在を判断する在室不在判断手段と、前記複数の部屋のそれぞれの室温を検出する室温検出手段と、前記複数の部屋のそれぞれの目標室温を所定の操作により設定する室温設定手段と、前記在室不在判断手段の判断結果から前記複数の部屋に在室部屋と不在部屋とが存在することが把握された場合において、該在室部屋の目標室温が該在室部屋の検出室温よりも高いときには、該在室部屋の検出室温よりも検出室温が高い不在部屋から在室部屋に室内空気を移動させ、該在室部屋の目標室温が該在室部屋の検出室温よりも低いときには、該在室部屋の検出室温よりも検出室温が低い不在部屋から在室部屋に室内空気を移動させるように前記空気移動手段を制御する制御手段とを備えたことを特徴とする。
【０００９】
かかる本発明によれば、在室不在判断手段の判断結果から、前記複数の部屋に在室部屋と不在部屋とが存在することが前記制御手段により把握されると、該制御手段は、在室部屋の目標室温と検出室温とが比較される。そして、在室部屋の目標室温が検出室温よりも高いときには、空気移動手段の運転制御によって、不在部屋のうち、在室部屋の検出室温よりも高い検出室温を有する不在部屋から在室部屋に室内空気を移動させる。これにより、在室部屋よりも暖かい不在部屋の空気が在室部屋に移動して、在室部屋の室温が目標室温側に向かって上昇する。従って、不在部屋の熱エネルギーが在室部屋の昇温に活用される。なお、不在部屋から在室部屋への空気の移動が進行すると、在室部屋の検出室温が該在室部屋の目標室温まで上昇するか、もしくは、不在部屋の室温が在室部屋の検出室温よりも低下するので、このときには、上記不在部屋から在室部屋への室内空気の移動は終了される。
【００１０】
また、在室部屋の目標室温が検出室温よりも低いときには、空気移動手段の運転制御によって、不在部屋のうち、在室部屋の検出室温よりも低い検出室温を有する不在部屋から在室部屋に室内空気を移動させる。これにより、在室部屋よりも冷えている不在部屋の空気が在室部屋に移動して、在室部屋の室温が目標室温側に向かって下降する。従って、不在部屋の冷気が在室部屋の室温を目標室温側に下げるために活用される。なお、不在部屋から在室部屋への空気の移動が進行すると、在室部屋の検出室温が該在室部屋の目標室温まで低下するか、もしくは、不在部屋の室温が在室部屋の検出室温よりも上昇するので、このときには、上記不在部屋から在室部屋への室内空気の移動は終了される。
【００１１】
以上のように、本発明によれば、不在部屋の熱エネルギーを有効に活用し、在室部屋の室温を該在室部屋の目標室温に近づけることができる。その結果、その在室部屋での室温環境を快適な環境に高めることができる。
【００１２】
【発明の実施の形態】
本発明の屋内の空気流通システムの一実施形態を図１〜図４を参照して説明する。
【００１３】
図１は本実施形態における屋内としての家屋１の内部の概略構成を示す平面図であり、この家屋１内には、和室２、洋室３（この例では居室、兼食堂の部屋）、脱衣室４、バス・トイレ室５等の部屋が備えられ、それらの部屋２〜５が壁やドア、ふすま等を介して区画されている。なお、この例では、脱衣室４は、玄関６に通じている。
【００１４】
これらの部屋２〜５のうち、和室２には、冷暖房運転が可能なエアコン装置７（図では室外機は省略している）が配置されていると共に、和室２内の映像を撮像する撮像装置８が和室２の壁に取り付けられている。撮像装置８はＣＣＤカメラ等により構成されたものである。また、和室２の壁には、和室２内と屋外との間の空気の流通を可能とする通気口９が設けられている。なお、この例では、和室２の空調手段として、冷暖房運転が可能なエアコン装置７を備えたが、冷房、暖房のいずれかのみが可能なものであってもよく、あるいは、エアコン装置、ファンヒータ、ホットカーペット、ストーブ等（電気式、燃焼式を問わない）、複数種類の空調手段が備えられていてもよい。
【００１５】
洋室３には、空調手段として、冷暖房運転が可能なエアコン装置１０（図では室外機は省略している）、ファンヒータ１１、および床暖房装置１２が設けられている。さらに、和室２の撮像装置８と同様に洋室３内の映像を撮像する撮像装置１３が洋室３の壁に取り付けられていると共に、洋室３内の換気を行うための換気扇装置１４が洋室３の壁に取り付けられている。また、洋室３内の壁には、洋室３内と屋外との間の空気の流通を可能とする通気口１５が設けられている。
【００１６】
なお、洋室３の空調手段は、和室２の場合と同様、冷房、暖房のいずれかのみが可能なものであってもよく、あるいは、エアコン装置、ファンヒータ、ホットカーペット、ストーブ等（電気式、燃焼式を問わない）、複数種類の空調手段が備えられていてもよい。
【００１７】
脱衣室４およびバス・トイレ室５のそれぞれの壁には、それぞれの部屋に人が居ることを後述するコントローラ２３に知らせるための在室報知操作スイッチ（ＯＮ／ＯＦＦスイッチ）１６，１７が取り付けられている。この場合、各在室報知操作スイッチ１６，１７のＯＮ操作は、該スイッチ１６，１７を有する部屋に人が在室していることを意味し、ＯＦＦ操作は、該スイッチ１６，１７を有する部屋から人が出ていき、その部屋に人が不在となることを意味する。また、脱衣室４に通じる玄関６の壁と、バス・トイレ室５の壁とには、それぞれの部屋内と屋外との間の空気の流通を可能とする通気口１８，１９が設けられている。
【００１８】
なお、本実施形態では、和室２、洋室３、玄関６（脱衣室４に通じる箇所）、およびバス・トイレ室５にそれぞれ通気口９，１５，１８，１９を備えているが、それらは、各部屋２〜５に外気が流通し得る程度のものであればよく、単なる隙間等であってもよい。
【００１９】
また、前記和室２、洋室３、脱衣室４およびバス・トイレ室５には、それぞれの部屋の室温を検出する室温検出手段としての室温センサ２０ａ，２０ｂ，２０ｃ，２０ｄがそれぞれ設けられている。
【００２０】
さらに、和室２、洋室３、脱衣室４およびバス・トイレ室５の天井には、これらの部屋にまたがってダクト２１が配管されている。このダクト２１は、各部屋２〜５の内部空間を相互に連通させるものであり、各部屋２〜５の箇所に給排気口２１ａ，２１ｂ，２１ｃ，２１ｄを備えている。そして、各給排気口２１ａ〜２１ｄには、図示を省略するファンおよびその駆動モータにより構成された給排気装置２２ａ，２２ｂ，２２ｃ，２２ｄが装着されている。この場合、各給排気装置２２ａ〜２２ｄのファンは、正逆両方向に回転可能となっており、例えば該ファンの正転によって、ダクト２１内からそれぞれの部屋２〜５に空気を給気し、また、ファンの逆転によって、それぞれの部屋２〜５内の空気をダクト２１内に吸引する。また、ダクト２１の各給排気口２１ａ〜２１ｄは、それぞれに対応する給排気装置２２ａ〜２２ｄの運転停止中は、図示しない電磁弁等により閉塞されるようになっている。なお、上記ダクト２１は本発明における空気流通路に相当し、また、該ダクト２１および給排気装置２２ａ〜２２ｄは、本発明における空気移動手段を構成するものである。
【００２１】
家屋１内の適所、例えば洋室３には、本実施形態のシステムの制御を行なうコントローラ２３が設けられている。さらに、該コントローラ２３の外面部には、各部屋２〜５の目標室温（希望室温）の設定操作等を行うための操作器２４が装着されている。なお、操作器２４はコントローラ２３とは別の箇所に設置されていてもよく、各部屋２〜５毎に設けられていてもよい。
【００２２】
操作器２４には、例えば図２に示すように、部屋名や設定されている目標室温を表示する表示部２５、目標室温を設定する部屋を選択するための部屋選択スイッチ２６、目標室温の設定値を上下させるためのアップダウンスイッチ２７等が備えられている。この場合、部屋選択スイッチ２６を操作する毎に、あらかじめ登録された部屋２〜５の部屋名（和室、洋室等）と、その部屋に対応して現在設定されている目標室温とが表示部２５に表示されるようになっている。そして、その表示状態で、アップダウンスイッチ２７を操作することで、表示中の部屋の目標室温が変更・設定されるようになっている。
【００２３】
なお、操作器２４は、本発明における室温設定手段に相当するものであり、各部屋２〜５の目標室温の設定操作を行うことができるものであれば、どのような形態のものであってもよい。
【００２４】
コントローラ２３は、マイクロコンピュータ等で構成された電子回路ユニットであり、本発明における在室不在判断手段および制御手段としての機能を有するものである。このコントローラ２３は、図３のブロック図で示すように、前記撮像装置８，１３、在室報知操作スイッチ１６，１７、室温センサ２０ａ〜２０ｄ、操作器２４および給排気装置２２ａ〜２２ｄとの間で、有線もしくは無線のＬＡＮ（図３では矢印線で表す）等を介して通信（各種データの授受）を行うことができるようになっている。その通信データをより具体的に説明すると、例えば、各撮像装置８，１３による和室２、洋室３の映像情報データが、各撮像装置８，１３からコントローラ２３に与えられ、在室報知操作スイッチ１６，１７のＯＮ／ＯＦＦ操作データが、これらのスイッチ１６，１７からコントローラ２３に与えられる。さらに、各室温センサ２０ａ〜２０ｄによる検出室温データが各室温センサ２０ａ〜２０ｄからコントローラ２３に与えられる。さらに、操作器２４から各部屋２〜５の目標室温の設定データがコントローラ２３に与えられる。そして、コントローラ２３は、これらの与えられるデータに基づいて給排気装置２２ａ〜２２ｄにこれらの運転動作を規定する運転指令を送出して、該給排気装置２２ａ〜２２ｄの運転を制御する。
【００２５】
なお、エアコン装置７を有する和室２の室温センサ２０ａについては、該エアコン装置７に備えられたものを代用し、エアコン装置７およびファンヒータ１１を有する洋室３の室温センサ２０ｂについては、該エアコン装置７あるいはファンヒータ１１に備えられたものを代用してもよい。この場合には、コントローラ２３と、エアコン装置７，１０やファンヒータ１１との間で無線もしくは有線で通信を行うようにして、エアコン装置７，１０やファンヒータ１１から、コントローラ２３に検出室温データを与えるようにすればよい。さらに、コントローラ２３と、エアコン装置７，１０やファンヒータ１１との間で通信を行うようにした場合においては、エアコン装置７，１０やファンヒータ１１で設定されている目標室温をそれぞれに対応する部屋の目標室温として、コントローラ２３に与えるようにしてもよい。
【００２６】
次に、コントローラ２３の詳細な制御処理の説明と併せて本実施形態のシステムの作動を説明する。コントローラ２３は、図４のフローチャートに示す処理を実行して、給排気装置２２ａ〜２２ｄの運転を制御する。
【００２７】
まず、コントローラ２３は、撮像装置８，１３の映像情報データ並びに在室報知操作スイッチ１６，１７のＯＮ／ＯＦＦ操作データに基づいて、各部屋２〜５に人が在室しているか、不在であるかを判断する（ＳＴＥＰ１）。さらに詳細には、コントローラ２３は、和室２および洋室３については、それぞれ撮像装置８，１３の映像情報データを画像処理することで、それぞれの部屋２，３に人が在室しているか不在であるかを判断する。例えば、和室２の撮像装置８に人が所定時間以上、継続的に写っている場合に、該和室２に人が在室していると判断し、それ以外では、人が不在であると判断する。
【００２８】
また、コントローラ２３は、脱衣室４およびバス・トイレ室５については、それぞれ在室報知操作スイッチ１６，１７のＯＮ／ＯＦＦ操作データに基づいて、それぞれの部屋４，５に人が在室しているか不在であるかを判断している。例えば、脱衣室４に居る人が在室報知操作スイッチ１５をＯＮ操作し、そのＯＮ状態が所定時間以上、継続した場合に、該脱衣室４に人が在室していると判断し、それ以外では、人が不在であると判断する。
【００２９】
なお、和室２、洋室３での人の在室／不在の判断は、脱衣室４等と同様に、在室報知操作スイッチを用いて判断するようにしてもよい。また、脱衣室４、バス・トイレ室５での人の在室／不在の判断は、和室２等と同様に、撮像装置を用いて判断するようにしてもよい。また、撮像装置を用いる場合においては、在室／不在の判断を撮像装置で行い、その判断結果をコントローラ２３に出力するようにしてもよい。さらに、各部屋における在室／不在の判断は、赤外線感知装置等を用いて行うようにすることも可能である。
【００３０】
次いでコントローラ２３は、上記ＳＴＥＰ１の判断結果から、全ての部屋２〜５が在室状態であるか、もしくは、全ての部屋２〜５が不在状態であるか、あるいは、これら以外の状態（在室部屋と不在部屋とが混在している状態）であるかを判断する（ＳＴＥＰ２）。このとき、全部屋２〜５が在室状態もしくは不在状態である場合（ＳＴＥＰ２の判断結果がＹＥＳである場合）には、コントローラ２３は、給排気装置２２ａ〜２２ｄのうち、運転中のものがあるか否かを判断する（ＳＴＥＰ３）。そして、運転中の給排気装置があれば、それをＳＴＥＰ４で停止させた後、ＳＴＥＰ１の処理に戻り、運転中の給排気装置が無ければ、そのままＳＴＥＰ１の処理に戻る。従って、全ての部屋２〜５が人の在室状態であるか、もしくは、全ての部屋２〜５が不在状態であれば、給排気装置２２ａ〜２２ｄの運転は行われない。
【００３１】
一方、在室部屋と不在部屋とが混在し、ＳＴＥＰ２の判断結果がＮＯとなった場合には、コントローラ２３は、次に、各部屋２〜５の検出室温データをそれぞれの部屋の室温センサ２０ａ〜２０ｄから取得すると共に、各部屋２〜５の目標室温データを操作器２４から取得する（ＳＴＥＰ５）。そして、コントローラ２３は、不在部屋の中から、室内空気の供給元とする不在部屋を決定する処理を実行する（ＳＴＥＰ６）。このＳＴＥＰ６の処理は本実施形態では、例えば次のように行われる。
【００３２】
すなわち、まず、現在の在室部屋の中から、目標室温と検出室温との差の絶対値が最も大きい部屋を、室内空気を供給すべき供給先候補部屋として仮決定し、この仮決定した供給先候補部屋の目標室温がその供給先候補部屋の検出室温よりも高いか低いかを判断する。なお、在室部屋のうち、目標室温と検出室温との差の絶対値が最も大きい部屋が２つ以上ある場合には、あらかじめ定められた優先順位に従って供給先候補部屋が仮決定される。
【００３３】
そして、上記のように仮決定した供給先候補部屋の目標室温が検出室温よりも高い場合には、現在の不在部屋の中から（但し、バス・トイレ室５は除く）、供給先候補部屋の検出室温よりも所定値以上（例えば２℃以上）、検出室温が高いという条件（以下、第１条件という）を満たし、且つ該第１条件を満たす不在部屋の中で最も検出室温が高いという条件（以下、第２条件という）を満たす不在部屋を室内空気の供給元の不在部屋として決定する。また、該供給先候補部屋の目標室温が検出室温よりも低い場合には、現在の不在部屋の中から（但し、バス・トイレ室５は除く）、供給先候補部屋の検出室温よりも所定値以上（例えば２℃以上）、検出室温が低いという条件（以下、第３条件という）を満たし、且つ該第３条件を満たす不在部屋の中で最も検出室温が低いという条件（以下、第４条件という）を満たす不在部屋を室内空気の供給元の不在部屋として決定する。
【００３４】
なお、仮決定した供給先候補部屋に対して、該供給先候補部屋の目標室温が検出室温よりも高い場合における上記第１及び第２条件、あるいは、該供給先候補部屋の目標室温が検出室温よりも低い場合における上記第３条件及び第４条件を満たす不在部屋が２つ以上ある場合には、あらかじめ定められた優先順位に従って、１つの供給元の不在部屋が決定される。また、仮決定した供給先候補部屋に対して、上記第１条件または第３条件を満たす不在部屋が１つである場合には、上記第２条件または第４条件に関係なく、その１つの不在部屋が供給元の不在部屋として決定される。
【００３５】
さらに、仮決定した供給先候補部屋に対して、上記第１条件または第３条件を満たす不在部屋が存在しない場合もある。このような場合には、コントローラ２３は、先に仮決定した供給先候補部屋の次に、目標室温と検出室温との差の絶対値が大きい在室部屋を改めて供給先候補部屋として仮決定し、上記と同じように、その仮決定した供給先候補部屋に対して、前記第１及び第２条件、または第３及び第４条件を満たす供給元の不在部屋を決定する。そして、このようにして、在室部屋の中から、供給先候補部屋を順番に仮決定していき、最終的に、どの在室部屋に対しても、上記第１条件または第３条件を満たす不在部屋が存在しないときには、供給元とし得る不在部屋は無しとする。
【００３６】
より具体的な例を以下に説明する。例えば不在部屋が和室２とバス・トイレ室５、在室部屋が洋室３と脱衣室４であるとし、在室部屋である洋室３の目標室温と検出室温との差の絶対値は、脱衣室４の目標室温と検出室温との差の絶対値よりも小さいものとする。また、脱衣室４の目標室温は該脱衣室４の検出室温よりも高く、洋室３の目標室温は該洋室３の検出室温よりも低いものとする。この場合、脱衣室４に対して前記第１及び第２条件を満たす不在部屋、あるいは、洋室３に対して前記第３及び第４条件を満たす不在部屋が次のように供給元の不在部屋として決定される。
【００３７】
すなわち、まず、在室部屋のうち、脱衣室４が第１番目の供給先候補部屋として仮決定される。そして、和室２の検出室温が脱衣室４の検出室温（＜脱衣室４の目標室温）よりも所定値以上、高ければ、和室２が脱衣室４に対して前記第１条件及び第２条件を満たすため、該和室２が供給元の不在部屋として決定される。また、和室２の検出室温が脱衣室４の検出室温よりも所定値以上高い温度でない場合には、供給先候補部屋として仮決定された脱衣室４に対して前記第１条件及び第２条件を満たす不在部屋（バス・トイレ室５を除く）は存在しない。この場合には、次に洋室３が第２番目の供給先候補部屋として仮決定される。そして、和室２の検出室温が洋室３の検出室温（＞洋室３の目標室温）よりも所定値以上、低ければ、洋室３に対して和室２が前記第３条件及び第４条件を満たすため、該和室２が供給元の不在部屋として決定される。また、和室２の検出室温が洋室３の検出室温よりも所定値以上、低い温度でない場合には、供給先候補部屋として２番目に仮決定された洋室３に対して前記第３条件及び第４条件を満たす不在部屋（バス・トイレ室５を除く）は存在しない。結果的には、いずれの在室部屋（洋室３及び脱衣室４）に対しても、第１条件及び第２条件、あるいは第３条件及び第４条件を満たす不在部屋は存在しない。従って、この場合には、供給元とし得る不在部屋は無しとされる。
【００３８】
次いで、コントローラ２３は、上記のＳＴＥＰ６の処理によって供給元の不在部屋として決定した不在部屋が有るか無いかを判断し（ＳＴＥＰ７）、供給元とし得る不在部屋が無かった場合には、前記ＳＴＥＰ３、４の処理を経てＳＴＥＰ１の処理に戻る。
【００３９】
また、供給元の不在部屋として決定した不在部屋が有る場合には、コントローラ２３は、現在の在室部屋の中から、供給元の不在部屋の室内空気を実際に供給する在室部屋を決定する（ＳＴＥＰ８）。この場合、例えば前記ＳＴＥＰ６の処理で最終的に供給先候補部屋として仮決定された在室部屋が実際に供給先とする在室部屋として決定される。
【００４０】
上記のようにして室内空気の供給元の不在部屋と供給先の不在部屋とを決定した後、コントローラ２３は、供給元の不在部屋の給排気装置の吸引運転を行わせ、且つ、供給先の在室部屋の給排気装置の給気運転を行なわせる（ＳＴＥＰ９）。これにより、供給元の不在部屋の室内空気が、前記ダクト２１を通って供給先の在室部屋に移動する。例えば、決定した供給元、供給先の部屋がそれぞれ和室２、洋室３である場合には、コントローラ２３は、和室２の給排気装置２２ａの吸引運転を行なわせて、和室２の室内空気をダクト２１内に吸引させる。同時に、コントローラ２３は、洋室３の給排気装置２２ｂの給気運転を行なわせて、和室２の給排気装置２２ａによりダクト２０内に取り込まれた和室２の室内空気を洋室３に給気させる。これにより和室２の室内空気が洋室２３に移動する。
【００４１】
以後は、コントローラ２３は、ＳＴＥＰ１からの処理を繰り返す。
【００４２】
以上説明した本実施形態によれば、室内空気の供給先として決定した在室部屋の目標室温が検出室温よりも高い場合には、その在室部屋の検出室温よりも所定値（例えば２℃）以上、高い検出室温を有する不在部屋が存在すれば、その不在部屋を供給元として、その不在部屋の暖かい（供給先の在室部屋よりも暖かい）室内空気が供給先の在室部屋に供給される。これにより、供給先の在室部屋の室温を上昇させ、目標室温に近づけることができる。また、室内空気の供給先として決定した在室部屋の目標室温が検出室温よりも低い場合には、その在室部屋の検出室温よりも所定値（例えば２℃）以上、低い検出室温を有する不在部屋が存在する場合には、その不在部屋を供給元として、その不在部屋の冷えた（供給先の在室部屋よりも冷たい）室内空気が供給先の在室部屋に供給される。これにより、供給先の在室部屋の室温を下げ、目標室温に近づけることができる。
【００４３】
従って、本実施形態によれば、不在部屋の熱エネルギー（暖気あるいは冷気）を無駄に消失させることなく、人が居る在室部屋の室温環境を快適なものとするために、有効に活用される。
【００４４】
なお、前記実施形態では、ダクト２１を用いて各部屋相互間で室内空気を移動させる例を示したが、例えば、複数の部屋が一つの廊下に臨んで配置されているような家屋においては、各部屋と廊下との間の仕切り壁やドア等に、双方向の空気移動が可能な送風装置（例えば正逆両方向に回転可能なファン）を備えておき、供給元の部屋と供給先の部屋との間で廊下を介して室内空気を移動させるようにしてもよい。この場合には、供給元の部屋の送風装置を該部屋から廊下に向かって送風するように作動させると同時に、供給先の部屋の送風装置を廊下から該部屋に向かって送風するように作動させることで、供給元の部屋から供給先の部屋への室内空気の移動を行うことができる。
【００４５】
また、例えば２つの隣接する部屋間でのみ、室内空気を移動させるようにする場合には、それらの２つの部屋間の仕切り壁やドア等に、双方向の空気移動が可能な送風装置を備えておき、その送風装置により両部屋間の室内空気の移動を行うようにしてもよい。
【００４６】
また、前記実施形態では、図４のＳＴＥＰ６で説明した如く供給元の不在部屋を決定したが、例えば次にようにして供給元の不在部屋を決定するようにしてもよい。すなわち、バス・トイレ室５を除く各部屋２〜４について、それが不在部屋となったときに室内空気の供給元として決定する際の優先順位をあらかじめ定めておき、前述の如く仮決定した供給先候補部屋に対して前記第１条件または第３条件を満たす不在部屋のうち、最も優先順位の高い不在部屋を供給元の不在部屋として決定する。また、供給先候補部屋についても、あらかじめ優先順位を定めておくようにしてもよい。さらに、仮決定した供給先候補部屋に対して前記第１条件または第３条件を満たす全ての不在部屋を供給元の不在部屋として決定するようにしてもよい。
【００４７】
また、図４のＳＴＥＰ８で供給先の在室部屋を決定する際にあっては、在室部屋が２つ以上ある場合には、ＳＴＥＰ６の処理で最終的に供給先候補部屋として仮決定された在室部屋だけでなく、さらに、目標室温よりも低い検出室温を有し、且つその検出室温が供給元の不在部屋の検出室温よりも低い他の在室部屋、あるいは、目標室温よりも高い検出室温を有し、且つその検出室温が不在部屋の検出室温よりも高い他の在室部屋をも供給先の在室部屋として加えてもよい。
【００４８】
いずれにせよ、供給元の不在部屋と供給先の在室部屋とを決定する場合においては、基本的には、目標室温が検出室温よりも高い在室部屋と、この在室部屋の検出室温よりも高い（好ましくは所定値以上、高い）検出室温を有する不在部屋との組、あるいは、目標室温が検出室温よりも低い在室部屋と、この在室部屋の検出室温よりも低い（好ましくは所定値以上、低い）検出室温を有する不在部屋との組を、供給元の不在部屋及び供給先の在室部屋の組として決定するようにすればよい。そして、上記のように組合わせ得る不在部屋と在室部屋の組が存在しないときには、供給元とし得る不在部屋を無しとすればよい。この場合、供給先とする在室部屋の中には、前記実施形態の如く、目標室温と検出室温との差の絶対値がより大きなものとなっているような在室部屋が優先的に含まれることが好ましい。これは、そのような在室部屋は、室温を目標室温により近づける必要性が高いからである。
【図面の簡単な説明】
【図１】本発明の一実施形態のシステムを備えた家屋の内部構成を概略的に示す平面図。
【図２】実施形態のシステムに備えた操作器の要部構成を示す図。
【図３】実施形態のシステムに備えたコントローラと各種機器との関係を表すブロック図。
【図４】図３のコントローラの制御処理を示すフローチャート。
【符号の説明】
１…家屋、２，３，４，５…部屋、２０ａ〜２０ｄ…室温センサ（室温検出手段）、２１…ダクト（空気流通路、空気移動手段）、２２ａ〜２２ｄ…給排気装置（空気移動手段）、２３…コントローラ（在室不在判断手段、制御手段）、２４…操作器（室温設定手段）。
【図１】
2004293850.tif 000003
【図２】
2004293850.tif 000004
【図３】
2004293850.tif 000005
【図４】
2004293850.tif 000006